(57)【要約】【課題】第１の記録媒体から第２の記録媒体へのダビングを、イコライジング等の調整処理を施しながら、高速に行うことができる技術を提供する。【解決手段】高速調整記録装置において、第１の記録媒体に記録されているディジタル音声データを、通常の速度よりも速い所定の高速度で再生し、高速ディジタル音声信号を出力し得る再生手段１と、前記高速ディジタル音声信号に対し、対応する速度で所定の調整処理を施して、調整された高速ディジタル音声信号を出力し得るディジタル信号処理手段４と、前記調整済みの高速ディジタル音声信号を、第２の記録媒体に対し、前記所定の高速度で記録し得る記録手段２とを設ける。【選択図】図１
2006085843.tif 000002
【特許請求の範囲】
【請求項１】
第１の記録媒体に記録されているディジタル音声データを、第１の速度よりも速い第２の速度で再生し、高速ディジタル音声信号を出力し得る再生手段と、
前記第２の速度に対応する高速ディジタル音声信号に対し、対応する第２の速度で所定の調整処理を施し、調整された高速ディジタル音声信号を出力し得るディジタル信号処理手段と、
前記調整済みの高速ディジタル音声信号を、第２の記録媒体に対し、前記第２の速度に対応する速度で記録し得る記録手段とを具備することを特徴とする記録装置。
【請求項２】
前記ディジタル信号処理手段は、前記調整処理を施すに際し、第１の速度で再生されるディジタル音声信号に対して施す調整処理のために使用するプログラムに代えて、前記第２の速度の調整処理に対応したより少ないステップ数を有するプログラムを実行するものであることを特徴とする請求項１に記載の記録装置。
【請求項３】
前記ディジタル信号処理手段は、前記再生手段が第１の速度で再生を行い、出力する通常速ディジタル音声信号に随伴するビット・クロックを基準信号としてディジタル信号処理動作クロックを生成するＰＬＬ回路を備え、前記高速ディジタル音声信号に対する調整処理を行うに際しては、前記ディジタル信号処理動作クロックと同一周波数のディジタル信号処理動作クロックが得られるように、前記ＰＬＬ回路における逓倍率を切り替えるものであることを特徴とする請求項１又は２に記載の記録装置。
【請求項４】
第１の記録媒体に記録されているディジタル音声データを、第１の速度よりも速い第２の速度で再生し、高速ディジタル音声信号を出力する再生工程と、
前記第２の速度によるディジタル音声信号に対し、対応する高速度で所定の調整処理を施し、調整された高速ディジタル音声信号を出力するディジタル信号処理工程と、
前記調整済みの高速ディジタル音声信号を、第２の記録媒体に対し、前記第２の速度に対応する速度で記録する記録工程とを具備することを特徴とする記録方法。
【発明の詳細な説明】
【技術分野】
【０００１】
本発明は、イコライジング処理等の調整処理を施しながら高速でダビングを行うことができる記録装置及び方法に関する。
【背景技術】
【０００２】
従来、コンパクト・ディスク（以下、「ＣＤ」という。）やミニ・ディスク（以下、「ＭＤ」という。）についての記録や再生を行う機能を備えるとともに、ＣＤからＭＤへの２倍速や４倍速によるダビング機能や、再生して得られるアナログ音声信号に対し、イコライジング処理等の調整処理を施す機能を有するオーディオシステムが知られている。
【０００３】
図２はこのような従来のオーディオシステムの一例を示すブロック図である。同図において、２１はＣＤに記録されている情報を再生し、音声信号として出力するＣＤ再生部であり、２２はＭＤへの記録及びＭＤに記録されている信号の再生を行うＭＤ記録・再生部である。ＣＤ再生部２１は、再生して得られるディジタル音声信号をそのまま出力し、又はＤ／Ａ変換を施してから出力する。
【０００４】
２３はＣＤ再生部２１やＭＤ記録・再生部２２からのアナログ音声信号をディジタル音声信号に変換するＡＤ変換部、２４はＡＤ変換部２３からのディジタル音声信号に対し、イコライジング等の調整処理を施すディジタル・シグナル・プロセッサ（以下、「ＤＳＰ」という。）である。ＤＳＰ２４は所定の各周波数を中心とした帯域をブースト又はカットするディジタル・フィルタを構成しており、各フィルタの特性を、要求に応じて変化させ、イコライジングを行う。
【０００５】
２５はＤＳＰ２４からのディジタル音声信号をアナログ音声信号に変換するＤＡ変換部であり、２６はＤＡ変換部２５からのアナログ音声信号を増幅し、スピーカ等により音響信号に変換して出力する音響出力部である。
【０００６】
２７はＣＤ再生部２１、ＭＤ記録・再生部２２、ＤＳＰ２４等を制御するマイクロ・コンピュータ（以下、「マイコン」という。）であり、２８はマイコン２７及びユーザ間のインタフェースとして機能する操作部である。ユーザは操作部２８を介してマイコン２７に対し、ＣＤ再生部２１、ＭＤ記録・再生部２２等の動作や、ＤＳＰ２４におけるイコライジング処理の内容等に関する指示を与えることができるようになっている。
【０００７】
この構成において、ユーザにより、ＣＤからＭＤへの４倍速によるダビングが指示されると、マイコン２７は、ＣＤ再生部２１に対し、４倍速で再生を行うように指示する。また、ＭＤ記録・再生部２２に対しては、ＣＤ再生部２１からのディジタル音声信号についての４倍速による記録を行うように指示する。再生により得られるディジタル音声信号はそのままＭＤ記録・再生部２２に送られ、ＭＤ記録・再生部２２においてＭＤに対し４倍速で記録される。これにより、４倍速でダビングが行われることになる。
【０００８】
一方、イコライジング等の調整処理を伴いながらダビングを行うように指示された場合には、マイコン２７は、ＣＤ再生部２１に対し、通常速度である１倍速で再生を行うように指示する。また、ＭＤ記録・再生部２２に対しては、ＤＳＰ２４からのディジタル音声信号を、１倍速で記録するように指示する。再生により得られるアナログ音声信号はＡＤ変換部２３に送られる。ＡＤ変換部２３はこのアナログ音声信号をディジタル音声信号に変換し、ＤＳＰ２４に送る。ＤＳＰ２４はこのディジタル音声信号に対し、イコライジング等の調整処理を施す。
【０００９】
調整処理に際してのＤＳＰ２４におけるディジタル・フィルタの特性等は、操作部２８を介して予め行われた設定に基づき、マイコン２７から送られるパラメータによって決定される。調整処理がなされたディジタル音声信号は、ＭＤ記録・再生部２２において、通常の１倍速でＭＤに記録される。
【００１０】
なお、ＤＳＰを用いたイコライジングに関する技術は、特許文献１等により知られている。また、ＣＤからＭＤへの４倍速ダビング等に関する技術は、特許文献２等により知られている。
【特許文献１】特開平１１−１２２０５６号公報
【特許文献２】特開２００１−２１０００９号公報
【発明の開示】
【発明が解決しようとする課題】
【００１１】
しかしながら、上述の従来技術によれば、イコライジング処理等を施しながらダビングを行う場合には、ダビングが１倍速で行われるので、ダビングに長時間を要するという問題がある。
【００１２】
本発明の目的は、このような従来技術の問題点に鑑み、ＣＤ等からＭＤ等へのダビングを、イコライジング等の調整処理を施しながら、高速に行うことができる技術を提供することにある。
【課題を解決するための手段】
【００１３】
上記目的を達成するため、第１の発明に係る記録装置は、第１の記録媒体に記録されているディジタル音声データを、第１の速度よりも速い第２の速度で再生し、高速ディジタル音声信号を出力し得る再生手段と、前記第２の速度に対応する高速ディジタル音声信号に対し、対応する第２の速度で所定の調整処理を施し、調整された高速ディジタル音声信号を出力し得るディジタル信号処理手段と、前記調整済みの高速ディジタル音声信号を、第２の記録媒体に対し、前記第２の速度に対応する速度で記録し得る記録手段とを具備することを特徴とする。
【００１４】
第２の発明に係る記録装置は、第１発明において、ディジタル信号処理手段は、前記調整処理を施すに際し、第１の速度で再生されるディジタル音声信号に対して施す調整処理のために使用するプログラムに代えて、前記第２の速度の調整処理に対応したより少ないステップ数を有するプログラムを実行するものであることを特徴とする。
【００１５】
第３の発明に係る記録装置は、第１又は第２発明において、ディジタル信号処理手段は、再生手段が第１の速度で再生を行い、出力する通常速ディジタル音声信号に随伴するビット・クロックを基準信号としてディジタル信号処理動作クロックを生成するＰＬＬ回路を備え、前記高速ディジタル音声信号に対する調整処理を行うに際しては、前記ディジタル信号処理動作クロックと同一周波数のディジタル信号処理動作クロックが得られるように、ＰＬＬ回路における逓倍率を切り替えるものであることを特徴とする。
【００１６】
第４の発明に係る記録方法は、第１の記録媒体に記録されているディジタル音声データを、第１の速度よりも速い第２の速度で再生し、高速ディジタル音声信号を出力する再生工程と、前記第２の速度によるディジタル音声信号に対し、対応する高速度で所定の調整処理を施し、調整された高速ディジタル音声信号を出力するディジタル信号処理工程と、前記調整済みの高速ディジタル音声信号を、第２の記録媒体に対し、前記第２の速度に対応する速度で記録する記録工程とを具備することを特徴とする
【発明の効果】
【００１７】
本発明によれば、イコライジング等の調整処理を伴いながらも、通常の速度より速い高速度でダビングを行うことができる。
【発明を実施するための最良の形態】
【００１８】
上述の第１の記録媒体及び第２の記録媒体としては、音楽用ＣＤ（ＣＤ−ＤＡ）、ＤＶＤ−Ａｕｄｉｏ、ＤＡＴ、ＭＤ等のディジタル方式の記録媒体が該当する。第１の速度としては、たとえば、１倍速が該当する。第２の高速度としては、たとえば、２倍速や４倍速が該当する。所定の調整処理としては、たとえば、イコライジング処理や、音場制御処理が該当する。ディジタル信号処理手段としては、たとえば、与えられるフィルタ係数に基づき、ＩＩＲ型のディジタル・フィルタを構成し、イコライジング処理等を行うＤＳＰが該当する。
【００１９】
上記本発明の構成において、第１の記録媒体から第２の記録媒体へのダビングを行う際には、再生手段が出力する高速ディジタル音声信号に対し、対応する高速度で、ディジタル信号処理手段による調整処理が施される。そして、調整された高速ディジタル音声信号は、記録手段により高速度で第２記録媒体に記録される。ダビング経路の途中でアナログ音声信号に変換される必要はない。したがって、従来のように、通常速度で再生し、Ｄ／Ａ変換して得られるアナログ音声信号を、Ａ／Ｄ変換してから調整処理を施して第２記録媒体に記録する場合に比べ、高速でダビングが行われる。
【００２０】
図１は本発明の一実施形態に係るオーディオシステムの構成を示すブロック図である。同図に示すように、この装置は、ＣＤに記録されているディジタル音声データを４倍速で再生し、４倍速ディジタル音声信号を出力することができるＣＤ再生部１、４倍速ディジタル音声信号に対し、イコライジング処理等の調整処理を通常の４倍の速度で施し、調整された４倍速ディジタル音声信号を出力するＤＳＰ４、及び、調整済み４倍速ディジタル音声信号を、ＭＤに対し、４倍速で記録するＭＤ記録・再生部２を備える。なお、ＣＤ再生部１、ＤＳＰ４、及びＭＤ記録・再生部２は、通常速度や２倍速による再生、処理、及び記録にも対応している。
【００２１】
このシステムはまた、ＣＤ再生部１、ＭＤ記録・再生部２、ライン入力端子９等からのアナログ音声信号をディジタル音声信号に変換してＤＳＰ４に供給するＡＤ変換部３、ＤＳＰ４からのディジタル音声信号をアナログ音声信号に変換するＤＡ変換部５、及びＤＡ変換部５からのアナログ音声信号を増幅し、スピーカ等により音響信号に変換する音響出力部６、各部を制御するマイコン７、並びに、マイコン７とユーザ間のインタフェースとして機能する操作部８を有する。
【００２２】
ＣＤ再生部１は、記録済みのＣＤのトラックに光ピックアップを追従させ、光ピックアップを介してＲＦ信号を取得し、ＲＦ信号にＥＦＭ復調を施して、再生されたディジタル音声信号やこれに随伴するビット・クロックを取得するものである。また、このディジタル音声信号をＤ／Ａ変換して、アナログ音声信号を出力する機能も有している。再生は、１倍速、２倍速、及び４倍速で行うことができる。
【００２３】
ＭＤ記録・再生部２は、記録済みのＭＤのトラックに光ピックアップを追従させ、光ピックアップを介してＲＦ信号を取得し、ＲＦ信号にＥＦＭ復調を施し、さらにＡＴＲＡＣによる圧縮のデコードを行って、再生されたディジタル音声信号やこれに随伴するビット・クロックを取得するものである。また、入力されるディジタル音声信号を、ＡＴＲＡＣ方式により圧縮してＥＦＭ変調を施し、光ピックアップを介して、ＭＤに記録する機能を有する。記録は、１倍速、２倍速、及び４倍速で行うことができる。
【００２４】
ＤＳＰ４は所定の各周波数を中心とした帯域をブースト又はカットするディジタル・フィルタを構成しており、各フィルタの特性をマイコン７からの要求に応じて変化させ、イコライジングを行う機能を有する。また、マイコン７からの要求に応じ、所定の音場制御を行う機能を有する。ＤＳＰ４としては、１９２[ｋＨｚ]のサンプリング周波数に対応したイコライジング処理等の調整処理を行うことができるものが用いられる。この１９２［ｋＨｚ］のサンプリング周波数の設定を利用することにより、ＤＳＰ４によって、ＣＤ再生部１からの４倍速のサンプリング周波数（４×４４．１[ｋＨｚ]＝１７６．４[ｋＨｚ]）によるディジタル音声信号について処理を行うことができる。
【００２５】
また、ＤＳＰ４では、内部ＰＬＬに対し、基準クロックとして、ＣＤ再生信号からのビット・クロック（通常の再生速度における２．８２２[ＭＨｚ]）を入力し、ビット・クロックのたとえば２４倍の周波数を有するＤＳＰ動作クロックを生成するようにしている。また、内部ＰＬＬにおいて処理可能な周波数の上限は、たとえば７６[ＭＨｚ]程度に制限されている。
【００２６】
このため、ＣＤ再生部１からの４倍速のディジタル音声信号について処理を行う場合には、ビット・クロックの周波数も４倍となり、これを２４倍すると前記上限値を超えることになる。また、ＤＳＰ動作クロックの周波数も４倍になってしまう。そこで、この場合には、ビット・クロックの６倍の周波数のクロックがマスタ・クロックとして得られるように、内部ＰＬＬの逓倍率を６倍に切り替えるようにしている。
【００２７】
また、ＤＳＰ４がイコライジング等の調整処理を行うために実行するプログラムのプログラム・レングスは、通常速度の場合と、４倍速の場合とで異ならせる。すなわち、ＤＳＰ４における１サンプリング間に実行可能なプログラムの命令ステップ数の上限は、たとえば、サンプリング周波数が４４．１[ｋＨｚ]の場合は１５３６ステップ、８８．２[ｋＨｚ]の場合は７６８ステップ、そして１７６．４[ｋＨｚ]の場合は３８４ステップというように、決定する。このため、２倍速や４倍速の場合、実行可能なプログラムの命令ステップ数を、通常速度の場合の１／２や１／４に制限することになる。仮に４倍速時に、ステップ数を３８４ステップに制限しないと、ＤＳＰ４の処理がオーバーフローしてしまう。
【００２８】
したがって、通常速度のディジタル音声信号を処理する場合には、イコライジング処理用のプログラムに加え、他の音場制御用等のプログラムが実行されるが、２倍速や４倍速のディジタル音声信号を処理する場合には、主としてイコライジング処理したデータをＭＤに記録するためのプログラムが実行され、他の音場効果を得るための処理（たとえばトーンコントロール）や、遅延を伴うような処理に関するプログラムの実行は、必要に応じて省略されることになる。
【００２９】
操作部８は、イコライジング処理等の調整処理の内容を、ユーザがマイコン７に対して容易に指示することができるように、適当なグラフィック・ユーザ・インタフェースを形成している。このインタフェースとしては、たとえば、所定の周波数帯域毎にゲインを調整するグラフィック・イコライザや、中心周波数及び帯域幅をも設定可能なパラメトリック・イコライザにおいてよく用いられる形態の操作画面を有するものを採用することができる。また、予め設定してある各周波数帯域の特性を、ワンタッチで指定することができるような形態のものを採用することもできる。
【００３０】
この構成において、ユーザによりイコライジング処理の内容等に関する指示が操作部８を介してなされた後、操作部８におけるワンタッチキーの押下等により、４倍速によるダビングを行う旨の指示が与えられると、マイコン７は４倍速によるダビング処理を開始するために、各部への指令を発する。すなわち、ＤＳＰ４に対しては、イコライジング処理の実行に必要なフィルタ係数等のパラメータを供給し、４倍速で処理を開始するように指示する。ＭＤ記録・再生部２に対しては、４倍速で記録を開始するように指示し、ＣＤ再生部１に対しては、４倍速で再生を開始するように指示する。
【００３１】
これに応じ、ＭＤ記録・再生部２は４倍速による記録を開始する。ＣＤ再生部１はＣＤを４倍速で回転させ、再生を開始する。ＤＳＰ４は、４倍速用のプログラムをロードし、内部ＰＬＬの逓倍率を４倍速用に切り替えて、イコライジング処理を開始する。これにより、ＣＤ再生部１において順次再生される４倍速のディジタル音声信号は、ＤＳＰ４において、通常の４倍の速度でイコライジング処理が施され、ＭＤ記録・再生部２において、ＭＤに対し、４倍速で順次記録されることになる。
【００３２】
記録速度を４倍速にする場合、ＤＳＰ４で行う処理ステップ数（プログラム・レングス）を制限して、低減させることにより、高速で入力される音声信号を処理しながら、４倍速に対応した速度で音声信号を出力することができる。このため、本実施形態においては、記録信号に反映させたい処理のみにＤＳＰ４の処理を限定し、それ以外の処理、たとえば、トーンコントロール（バス、トレブル等の処理）は実行する命令から省略される。
【００３３】
このようにして、ＤＳＰ４によるイコライジング処理を伴いながら、４倍速で、ＣＤからＭＤへのダビングを行うことができる。なお、２倍速によるダビングも、同様にして、ＤＳＰ４によるイコライジング処理を行いながら、行うことができる。通常の速度でダビングを行う場合には、イコライジング処理が施されたディジタル音声信号を、Ｄ／Ａ変換部５にも供給し、音響出力部６を経て音響信号に変換することにより、ユーザによるモニタを可能とすることができる。
【００３４】
なお、ＭＤへの記録はＡＴＲＡＣ方式によりデータを１／５に圧縮して行われる。このため、通常速度でのダビングの場合には、ＣＤについての再生は連続的な再生動作によって行われるのに対し、ＭＤへの記録は所定期間の記録動作を、間欠的に繰り返すことによって行われる。そして、４倍速でのダビングの場合は、ＣＤについての再生は、ＣＤを４倍速で回転させ、連続的な再生動作によって行われるのに対し、ＭＤへの記録は、ＭＤを２倍速で回転させ、各記録動作での記録速度を通常の２倍とし、かつ単位時間当たりの記録動作の回数を４倍とすることによって行われるようにしてもよい。
【００３５】
また、通常速度でのダビングは、従来のように、ＣＤ再生部１からの通常速度による再生アナログ音声信号を、Ａ／Ｄ変換部３によりディジタル音声信号に変換し、これについて、ＤＳＰ４においてイコライジング処理を施しながら、ＭＤ記録・再生部２において通常速度で記録を行うことにより、実施することもできる。
【図面の簡単な説明】
【００３６】
【図１】本発明の一実施形態に係るオーディオシステムを示すブロック図である。
【図２】従来例に係るオーディオシステムを示すブロック図である。
【符号の説明】
【００３７】
１，２１：ＣＤ再生部、２，２２：ＭＤ記録・再生部、３，２３：Ａ／Ｄ変換部、４，２４：ＤＳＰ、５，２５：Ｄ／Ａ変換部、６，２６：音響出力部、７，２７：マイクロ・コンピュータ、８，２８：操作部、９，２９：端子。
【図１】
2006085843.tif 000003
【図２】
2006085843.tif 000004